(57)【要約】【課題】ネットワーク全体の低消費電力化を実現する。【解決手段】消費電力比較部１２が、複数の光ノード２０のうち、任意の２つの光ノード２０間で伝送する対象光信号を、２つの光ノード２０間を接続するマルチコア通信路ＬＭを介して伝送した際に必要となるマルチコア系消費電力ＰＭと、２つの光ノード２０間を接続するシングルコア通信路ＬＳで伝送した際に必要となるシングルコア系消費電力ＰＳとを比較し、切替制御部１３が、消費電力比較部１２で得られた比較の結果に基づいて、２つの光ノード２０における対象光信号の入出力方路をマルチコア通信路ＬＭまたはシングルコア通信路ＬＳのいずれかに切替制御する。【選択図】  図１
2019047451.tif 000002
【特許請求の範囲】
【請求項１】
通信路を介して網状に接続された複数の光ノードと、これら光ノードにおける光信号の入出力方路をそれぞれ切替制御するネットワーク制御装置とを備える光通信ネットワークであって、
前記通信路のいずれかとして用いられて、入力された複数の光信号をこれら光信号に共通のマルチコア光増幅器により一括で増幅して出力するマルチコア通信路と、
前記通信路のいずれかとして用いられて、入力された複数の光信号をそれぞれのシングルコア光増幅器により個別に増幅して出力するシングルコア通信路とを備え、
前記ネットワーク制御装置は、
前記複数の光ノードのうち、任意の２つの光ノードの間で伝送する対象光信号を、前記２つの光ノード間を接続する前記マルチコア通信路を介して伝送した際に必要となるマルチコア系消費電力と、前記２つの光ノード間を接続する前記シングルコア通信路で伝送した際に必要となるシングルコア系消費電力とを比較する消費電力比較部と、
前記比較の結果に基づいて、前記２つの光ノードにおける前記対象光信号の入出力方路を前記マルチコア通信路または前記シングルコア通信路のいずれかに切替制御する切替制御部とを備える
ことを特徴とする光通信ネットワーク。
【請求項２】
請求項１に記載の光通信ネットワークにおいて、
前記ネットワーク制御装置は、前記マルチコア通信路に設けられているマルチコア光増幅器で消費される消費電力に基づいて前記マルチコア系消費電力を算出するとともに、前記シングルコア通信路に設けられているシングルコア光増幅器で消費される消費電力に基づいて前記シングルコア系消費電力を算出する消費電力管理部をさらに備え、
前記消費電力比較部は、前記消費電力管理部で得られた前記マルチコア系消費電力と前記シングルコア系消費電力とを比較する
ことを特徴とする光通信ネットワーク。
【請求項３】
請求項２に記載の光通信ネットワークにおいて、
前記消費電力管理部は、前記マルチコア系消費電力に、自ノード内に設けられて前記対象光信号を増幅するマルチコア光増幅器で消費される消費電力を加算し、前記シングルコア系消費電力に、自ノード内に設けられて前記対象光信号を増幅するシングルコア光増幅器で消費される消費電力を加算することを特徴とする光通信ネットワーク。
【請求項４】
請求項２または請求項３に記載の光通信ネットワークにおいて、
前記消費電力管理部は、前記マルチコア系消費電力を算出する際、前記２つの光ノード間が１つまたは複数の中継光ノードを介して複数のマルチコア通信路で接続されている場合、これらマルチコア通信路ごとに算出した消費電力を合計することにより、前記マルチコア系消費電力を算出し、前記シングルコア系消費電力を算出する際、前記２つの光ノード間が１つまたは複数の中継光ノードを介して複数のシングルコア通信路で接続されている場合、これらシングルコア通信路ごとに算出した消費電力を合計することにより、前記シングルコア系消費電力を算出することを特徴とする光通信ネットワーク。
【請求項５】
請求項２〜請求項４のいずれかに記載の光通信ネットワークにおいて、
前記消費電力管理部は、前記シングルコア系消費電力を算出する際、１つのシングルコア光増幅器に関する消費電力と、前記シングルコア通信路に設けられているシングルコア光増幅器の並列数または前記シングルコア通信路を介して伝送する前記対象光信号の光信号数とを乗算することにより、前記シングルコア系消費電力を算出することを特徴とする光通信ネットワーク。
【請求項６】
請求項２〜請求項４のいずれかに記載の光通信ネットワークにおいて、
前記消費電力管理部は、前記シングルコア系消費電力を算出する際、１つのシングルコア光増幅器に関する消費電力と、前記シングルコア通信路に設けられているシングルコア光増幅器の並列数とを乗算することにより、前記シングルコア系消費電力を算出し、前記シングルコア通信路のうち、前記対象光信号以外の光信号に関する消費電力を前記シングルコア系消費電力から減算することを特徴とする光通信ネットワーク。
【請求項７】
請求項２〜請求項６のいずれかに記載の光通信ネットワークにおいて、
前記消費電力管理部は、前記マルチコア系消費電力を算出する際、前記マルチコア通信路のうち、前記対象光信号以外の光信号をすでに伝送している共用マルチコア通信路に関する消費電力を、ゼロと見なすことを特徴とする光通信ネットワーク。
【請求項８】
請求項２〜請求項７のいずれかに記載の光通信ネットワークにおいて、
前記消費電力管理部は、前記光ノードのうち、第１の２つの光ノードの間で伝送する第１の対象光信号と、これら光ノードとは異なる第２の２つの光ノードの間で伝送する第２の対象光信号とが、同一マルチコア通信路を経由する場合、前記第１の対象光信号に関する第１のマルチコア系消費電力と前記第２の対象光信号に関する第２のマルチコア系消費電力との合計から前記同一マルチコア通信路のマルチコア系消費電力を減算することにより、統一マルチコア系消費電力を算出するとともに、前記第１の対象光信号に関する第１のシングルコア系消費電力と前記第２の対象光信号に関する第２のシングルコア系消費電力とを合算することにより統一シングルコア系消費電力を算出し、
前記消費電力比較部は、前記消費電力管理部で得られた前記統一マルチコア系消費電力と前記統一シングルコア系消費電力とを比較し、
前記切替制御部は、前記比較の結果に基づいて、前記第１の２つの光ノードにおける前記第１の対象光信号の入出力方路を、前記第１の対象光信号と対応する前記マルチコア通信路または前記シングルコア通信路のいずれかに切替制御するとともに、前記第２の２つの光ノードにおける前記第２の対象光信号の入出力方路を、前記第２の対象光信号と対応する前記マルチコア通信路または前記シングルコア通信路のいずれかに切替制御する
ことを特徴とする光通信ネットワーク。
【請求項９】
通信路を介して網状に接続された複数の光ノードと、前記通信路のいずれかとして用いられて、入力された複数の光信号をこれら光信号に共通のマルチコア光増幅器により一括で増幅して出力するマルチコア通信路と、前記通信路のいずれかとして用いられて、入力された複数の光信号をそれぞれのシングルコア光増幅器により個別に増幅して出力するシングルコア通信路とを備える光通信ネットワークで用いられて、前記複数の光ノードにおける光信号の入出力方路をそれぞれ切替制御するネットワーク制御装置であって、
前記複数の光ノードのうち、任意の２つの光ノードの間で伝送する対象光信号を、前記２つの光ノード間を接続する前記マルチコア通信路を介して伝送した際に必要となるマルチコア系消費電力と、前記２つの光ノード間を接続する前記シングルコア通信路で伝送した際に必要となるシングルコア系消費電力とを比較する消費電力比較部と、
前記比較の結果に基づいて、前記２つの光ノードにおける前記対象光信号の入出力方路を前記マルチコア通信路または前記シングルコア通信路のいずれかに切替制御する切替制御部と
を備えることを特徴とするネットワーク制御装置。
【請求項１０】
通信路を介して網状に接続された複数の光ノードと、前記通信路のいずれかとして用いられて、入力された複数の光信号をこれら光信号に共通のマルチコア光増幅器により一括で増幅して出力するマルチコア通信路と、前記通信路のいずれかとして用いられて、入力された複数の光信号をそれぞれのシングルコア光増幅器により個別に増幅して出力するシングルコア通信路とを備える光通信ネットワークで用いられて、前記複数の光ノードにおける光信号の入出力方路をそれぞれ切替制御するネットワーク制御装置で用いられるネットワーク制御方法であって、
消費電力比較部が、前記複数の光ノードのうち、任意の２つの光ノードの間で伝送する対象光信号を、前記２つの光ノード間を接続する前記マルチコア通信路を介して伝送した際に必要となるマルチコア系消費電力と、前記２つの光ノード間を接続する前記シングルコア通信路で伝送した際に必要となるシングルコア系消費電力とを比較する消費電力比較ステップと、
切替制御部が、前記比較の結果に基づいて、前記２つの光ノードにおける前記対象光信号の入出力方路を前記マルチコア通信路または前記シングルコア通信路のいずれかに切替制御する切替制御ステップと
を備えることを特徴とするネットワーク制御方法。
【発明の詳細な説明】
【技術分野】
【０００１】
本発明は、シングルコア光増幅器の通信路とマルチコア光増幅器の通信路とを含む光通信ネットワークの構成を制御するための光通信ネットワーク制御技術に関する。
【背景技術】
【０００２】
近年、インターネットのトラフィックは継続的な増大傾向にあり、バックボーンを支える光通信ネットワークは、伝送容量を増加させることによって、このようなトラヒックの増大に対応してきた。一方で、さらなる伝送容量増加のためには高い送信光パワーが必要になるが、送信光パワーの増大に伴う非線形波形劣化の誘発や、過度の送信光パワー注入によって引き起こされるファイバヒューズ現象が、さらなる伝送容量増加に向けた課題となっている。
【０００３】
このような課題を解決するために、ファイバ当たりの容量を増大させる技術として、１つのファイバに複数のコアや伝送モードを設け、それぞれに独立に信号を載せることで飛躍的な伝送容量の増加が可能となる、空間分割多重伝送技術が注目を浴びている（例えば、非特許文献１など参照）。
【０００４】
図８は、マルチコアファイバを用いた空間分割多重伝送システムの基本構成例である。図８に示すように、マルチコアファイバを用いた空間分割多重伝送システムは、主な構成として、マルチコアファイバの各コアから複数のシングルコアの光ファイバに分離／結合するファンイン／ファンアウトと、各コアの信号を一括で増幅するマルチコア光増幅器とを備えている。
【０００５】
マルチコア光増幅器の例としては、マルチコアエルビウム添加光ファイバ増幅器（ＭＣ−ＥＤＦＡ：Multicore Er-doped fiber amplifier）や、マルチコアエルビウム／イットリビウム添加光ファイバ増幅器（ＭＣ−ＥＹＤＦＡ：Multicore Er/Yb-doped fiber amplifier）がある。
以下では、上記マルチコア光増幅器の対照として、エルビウム添加光ファイバ増幅器（ＥＤＦＡ：Er-doped fiber amplifier）等の従来の光増幅器をシングルコア光増幅器と称する。また、マルチコアファイバの対照として、従来のシングルモードファイバをシングルコアファイバと称する。
【０００６】
ファンインに入力された単一波長または波長多重された光信号は、ファンインの入力ポートに対応して設けられているマルチコアファイバのコアに接続され、伝送される。マルチコア光増幅器は、伝送路に対して一定間隔、例えば８０ｋｍで配備され、伝送品質が劣化したファイバ内の各コアの光信号を一括で増幅する。受信側ではファンアウトによって再びコア単位で複数のシングルコアファイバに分離される。
なお、光増幅器は、ＲＯＡＤＭ（Reconfigurable Optical Add-Drop Multiplexer）やＯＸＣ（Optical Cross Connect）等の光ノード内のプリアンプやポストアンプとして備わる場合もあるが、マルチコア光増幅器は、従来のシングルコア光増幅器と同様に光ノード内に適用することができる。
【０００７】
このような空間分割多重伝送技術により、ファイバ当たりの伝送容量を飛躍的に増加させることが可能となる。また、シングルコアファイバを並列化させて容量を大きくするアプローチと比較して、マルチコア光増幅器の導入により、複数のシングルコア光増幅器よりも消費電力を抑えられる、というメリットもある（例えば、非特許文献２など参照）。
【０００８】
図９は、トラフィック増加に伴うマルチコア光増幅器の消費電力の変化を示すグラフである。ここでは、シングルコア光増幅器の並列数およびマルチコア光増幅器の各々に対する消費電力の変化が示されており、横軸がトラヒック量を示し、縦軸が消費電力を示している。
【０００９】
図９に示すように、シングルコア光増幅器を並列させた場合、ファイバ数の増加に伴い消費電力が比例して増加する一方で、マルチコア光増幅器を用いる場合は、使用するコア数に関わらず、マルチコア光増幅器を増設するまで消費電力が一定もしくは非常に小さい上昇幅である。この例では、所要ファイバ数が６を上回る状況では、シングルコア光増幅器を複数台並列させて用いるよりも、並列数を上回るコア数を持つマルチコア光増幅器を１台用いる方が、より低消費電力となることが分かる。
【先行技術文献】
【非特許文献】
【００１０】
【非特許文献１】水野隆之 他，「高密度空間分割多重（DSDM）長距離光伝送基盤技術」，NTT技術ジャーナル，2017.3
【非特許文献２】K. Maeda, et al.，「Multicore Erbium Doped Fiber Amplifiers」，Proc. SPIE 9773，Optical Metro Networks and Short-Haul Systems VIII，977302，2016
【発明の概要】
【発明が解決しようとする課題】
【００１１】
このような従来技術は、マルチコア光増幅器の導入により、光通信ネットワークの大容量化のみならず、低消費電力化が実現できる可能性がある。しかしながら、図９に示したように、トラヒックによっては、マルチコア光増幅器を用いるよりシングルコア光増幅器を並列化したほうが低消費電力化を実現できる場合もある。したがって、シングルコア光増幅器の通信路をマルチコア光増幅器の通信路に切り替えるだけでは、ネットワーク全体の低消費電力化を実現することができないという問題点があった。
【００１２】
本発明はこのような課題を解決するためのものであり、ネットワーク全体の低消費電力化を実現できる光通信ネットワーク制御技術を提供することを目的としている。
【課題を解決するための手段】
【００１３】
このような目的を達成するために、本発明にかかる光通信ネットワークは、通信路を介して網状に接続された複数の光ノードと、これら光ノードにおける光信号の入出力方路をそれぞれ切替制御するネットワーク制御装置とを備える光通信ネットワークであって、前記通信路のいずれかとして用いられて、入力された複数の光信号をこれら光信号に共通のマルチコア光増幅器により一括で増幅して出力するマルチコア通信路と、前記通信路のいずれかとして用いられて、入力された複数の光信号をそれぞれのシングルコア光増幅器により個別に増幅して出力するシングルコア通信路とを備え、前記ネットワーク制御装置は、前記複数の光ノードのうち、任意の２つの光ノード間で伝送する対象光信号を、前記２つの光ノード間を接続する前記マルチコア通信路を介して伝送した際に必要となるマルチコア系消費電力と、前記２つの光ノード間を接続する前記シングルコア通信路で伝送した際に必要となるシングルコア系消費電力とを比較する消費電力比較部と、前記比較の結果に基づいて、前記２つの光ノードにおける前記対象光信号の入出力方路を前記マルチコア通信路または前記シングルコア通信路のいずれかに切替制御する切替制御部とを備えている。
【００１４】
また、本発明にかかる上記光通信ネットワークの一構成例は、前記ネットワーク制御装置が、前記マルチコア通信路に設けられているマルチコア光増幅器で消費される消費電力に基づいて前記マルチコア系消費電力を算出するとともに、前記シングルコア通信路に設けられているシングルコア光増幅器で消費される消費電力に基づいて前記シングルコア系消費電力を算出する消費電力管理部をさらに備え、前記消費電力比較部は、前記消費電力管理部で得られた前記マルチコア系消費電力と前記シングルコア系消費電力とを比較するようにしたものである。
【００１５】
また、本発明にかかる上記光通信ネットワークの一構成例は、前記消費電力管理部が、前記マルチコア系消費電力に、自ノード内に設けられて前記対象光信号を増幅するマルチコア光増幅器で消費される消費電力を加算し、前記シングルコア系消費電力に、自ノード内に設けられて前記対象光信号を増幅するシングルコア光増幅器で消費される消費電力を加算するようにしたものである。
【００１６】
また、本発明にかかる上記光通信ネットワークの一構成例は、前記消費電力管理部が、前記マルチコア系消費電力を算出する際、前記２つの光ノード間が１つまたは複数の中継光ノードを介して複数のマルチコア通信路で接続されている場合、これらマルチコア通信路ごとに算出した消費電力を合計することにより、前記マルチコア系消費電力を算出し、前記シングルコア系消費電力を算出する際、前記２つの光ノード間が１つまたは複数の中継光ノードを介して複数のシングルコア通信路で接続されている場合、これらシングルコア通信路ごとに算出した消費電力を合計することにより、前記シングルコア系消費電力を算出するようにしたものである。
【００１７】
また、本発明にかかる上記光通信ネットワークの一構成例は、前記消費電力管理部が、前記シングルコア系消費電力を算出する際、１つのシングルコア光増幅器に関する消費電力と、前記シングルコア通信路に設けられているシングルコア光増幅器の並列数または前記シングルコア通信路を介して伝送する前記対象光信号の光信号数とを乗算することにより、前記シングルコア系消費電力を算出するようにしたものである。
【００１８】
また、本発明にかかる上記光通信ネットワークの一構成例は、前記消費電力管理部が、前記シングルコア系消費電力を算出する際、１つのシングルコア光増幅器に関する消費電力と、前記シングルコア通信路に設けられているシングルコア光増幅器の並列数とを乗算することにより、前記シングルコア系消費電力を算出し、前記シングルコア通信路のうち、前記対象光信号以外の光信号に関する消費電力を前記シングルコア系消費電力から減算するようにしたものである。
【００１９】
また、本発明にかかる上記光通信ネットワークの一構成例は、前記消費電力管理部が、前記マルチコア系消費電力を算出する際、前記マルチコア通信路のうち、前記対象光信号以外の光信号をすでに伝送している共用マルチコア通信路に関する消費電力を、ゼロと見なすようにしたものである。
【００２０】
また、本発明にかかる上記光通信ネットワークの一構成例は、前記消費電力管理部が、前記光ノードのうち、第１の２つの光ノード間で伝送する第１の対象光信号と、これら光ノードとは異なる第２の２つの光ノード間で伝送する第２の対象光信号とが、同一マルチコア通信路を経由する場合、前記第１の対象光信号に関する第１のマルチコア系消費電力と前記第２の対象光信号に関する第２のマルチコア系消費電力との合計から前記同一マルチコア通信路のマルチコア系消費電力を減算することにより、統一マルチコア系消費電力を算出するとともに、前記第１の対象光信号に関する第１のシングルコア系消費電力と前記第２の対象光信号に関する第２のシングルコア系消費電力とを合算することにより統一シングルコア系消費電力を算出し、前記消費電力比較部は、前記消費電力管理部で得られた前記統一マルチコア系消費電力と前記統一シングルコア系消費電力とを比較し、切替制御部は、前記比較の結果に基づいて、前記第１の２つの光ノードにおける前記第１の対象光信号の入出力方路を、前記第１の対象光信号と対応する前記マルチコア通信路または前記シングルコア通信路のいずれかに切替制御するとともに、前記第２の２つの光ノードにおける前記第２の対象光信号の入出力方路を、前記第２の対象光信号と対応する前記マルチコア通信路または前記シングルコア通信路のいずれかに切替制御するようにしたものである。
【００２１】
また、本発明にかかるネットワーク制御装置は、通信路を介して網状に接続された複数の光ノードと、前記通信路のいずれかとして用いられて、入力された複数の光信号をこれら光信号に共通のマルチコア光増幅器により一括で増幅して出力するマルチコア通信路と、前記通信路のいずれかとして用いられて、入力された複数の光信号をそれぞれのシングルコア光増幅器により個別に増幅して出力するシングルコア通信路とを備える光通信ネットワークで用いられて、前記複数の光ノードにおける光信号の入出力方路をそれぞれ切替制御するネットワーク制御装置であって、前記複数の光ノードのうち、任意の２つの光ノード間で伝送する対象光信号を、前記２つの光ノード間を接続する前記マルチコア通信路を介して伝送した際に必要となるマルチコア系消費電力と、前記２つの光ノード間を接続する前記シングルコア通信路で伝送した際に必要となるシングルコア系消費電力とを比較する消費電力比較部と、前記比較の結果に基づいて、前記２つの光ノードにおける前記対象光信号の入出力方路を前記マルチコア通信路または前記シングルコア通信路のいずれかに切替制御する切替制御部とを備えている。
【００２２】
また、本発明にかかるネットワーク制御方法は、通信路を介して網状に接続された複数の光ノードと、前記通信路のいずれかとして用いられて、入力された複数の光信号をこれら光信号に共通のマルチコア光増幅器により一括で増幅して出力するマルチコア通信路と、前記通信路のいずれかとして用いられて、入力された複数の光信号をそれぞれのシングルコア光増幅器により個別に増幅して出力するシングルコア通信路とを備える光通信ネットワークで用いられて、前記複数の光ノードにおける光信号の入出力方路をそれぞれ切替制御するネットワーク制御装置で用いられるネットワーク制御方法であって、消費電力比較部が、前記複数の光ノードのうち、任意の２つの光ノード間で伝送する対象光信号を、前記２つの光ノード間を接続する前記マルチコア通信路を介して伝送した際に必要となるマルチコア系消費電力と、前記２つの光ノード間を接続する前記シングルコア通信路で伝送した際に必要となるシングルコア系消費電力とを比較する消費電力比較ステップと、切替制御部が、前記比較の結果に基づいて、前記２つの光ノードにおける前記対象光信号の入出力方路を前記マルチコア通信路または前記シングルコア通信路のいずれかに切替制御する切替制御ステップとを備えている。
【発明の効果】
【００２３】
本発明によれば、光ノード間で伝送される光信号が、マルチコア通信路とシングルコア通信路のうち、消費電力の少ない通信路を経由して伝送されることになる。このため、トラヒック量によらずシングルコア通信路を経由する光信号を単にマルチコア通信路経由に切り替える場合と比較して、マルチコア通信路を効果的に利用することができ、結果として、ネットワーク全体の低消費電力化を実現することが可能となる。
【図面の簡単な説明】
【００２４】
【図１】光通信ネットワークの構成を示すブロック図である。
【図２】光ノードの構成を示すブロック図である。
【図３】ネットワーク制御装置での切替制御処理を示すフローチャートである。
【図４】第１の実施の形態にかかる切替制御例である。
【図５】第２の実施の形態にかかる切替制御例である。
【図６】第３の実施の形態にかかる切替制御例である。
【図７】第４の実施の形態にかかる切替制御例である。
【図８】マルチコアファイバを用いた空間分割多重伝送システムの基本構成例である。
【図９】トラフィック増加に伴うマルチコア光増幅器の消費電力の変化を示すグラフである。
【発明を実施するための形態】
【００２５】
次に、本発明の実施の形態について図面を参照して説明する。
［第１の実施の形態］
まず、図１を参照して、本発明の第１の実施の形態にかかる光通信ネットワーク１について説明する。図１は、光通信ネットワークの構成を示すブロック図である。
【００２６】
［光通信ネットワーク］
図１に示すように、本実施の形態にかかる光通信ネットワーク１は、通信路を介して網状に接続された複数の光ノード２０と、これら光ノード２０における光信号の入出力方路をそれぞれ切替制御するネットワーク制御装置１０とを備えている。
【００２７】
また、光通信ネットワーク１は、光ノード２０間を接続する通信路のいずれかとして用いられて、マルチコアファイバＦＭに入力された複数の光信号をこれら光信号に共通のマルチコア光増幅器ＡＭにより一括で増幅して出力するマルチコア通信路ＬＭと、光ノード２０間を接続する通信路のいずれかとして用いられて、複数のシングルコアファイバＦＳに入力された複数の光信号をそれぞれのシングルコア光増幅器ＡＳで個別に増幅して出力するシングルコア通信路ＬＳとを備えている。
【００２８】
図１には、光通信ネットワーク１のうち、２つの光ノードＡ，Ｂ（２０）に関する区間の構成例が示されている。これら光ノードＡ，Ｂ間は、マルチコア通信路ＬＭおよびシングルコア通信路ＬＳで並列的に接続されており、これら光ノードＡ，Ｂにおける光信号の入出力方路は、ネットワーク制御装置１０からの切り替え指示に基づいて切替制御される。なお、光ノード２０の数は、これに限定されるものではなく、３以上であってもよい。また、光ノード２０間を接続するマルチコア通信路ＬＭおよびシングルコア通信路ＬＳの接続形態については、これに限定されるものでなく、任意の光ノード２０間が、マルチコア通信路ＬＭおよびシングルコア通信路ＬＳが並列的に接続されている接続形態であればよい。
【００２９】
マルチコア通信路ＬＭは、空間分割多重伝送方式により複数の光信号を伝送する１つのマルチコアファイバＦＭと、これら光信号を一括して増幅するマルチコア光増幅器ＡＭとから構成されている。
マルチコア光増幅器の例としては、マルチコアエルビウム添加光ファイバ増幅器（ＭＣ−ＥＤＦＡ：Multicore Er-doped fiber amplifier）や、マルチコアエルビウム／イットリビウム添加光ファイバ増幅器（ＭＣ−ＥＹＤＦＡ：Multicore Er/Yb-doped fiber amplifier）がある。
【００３０】
シングルコア通信路ＬＳは、複数のシングルコアファイバＦＳとこれらシングルコアファイバＦＳの光信号を個別に増幅する複数のシングルコア光増幅器ＡＳとから構成されている。
以下では、上記マルチコア光増幅器の対照として、エルビウム添加光ファイバ増幅器（ＥＤＦＡ：Er-doped fiber amplifier）等の従来の光増幅器をシングルコア光増幅器と称する。また、マルチコアファイバの対照として、従来のシングルモードファイバをシングルコアファイバと称する。
【００３１】
図１において、光ノードＡ，Ｂ間には、単一波長または波長多重されたＮ（Ｎは１以上の整数）個の光信号Ｓ１，Ｓ２，…，ＳＮが収容されているものとし、基本的には、この信号数Ｎは、光ノードＡ，Ｂ間におけるトラヒック量に応じて増減する。
本実施の形態では、初期状態において、これら光信号は、シングルコアファイバＦＳのシングルコア通信路ＬＳを用いて通信が確立されているものとする。なお、これら光信号Ｓ１，Ｓ２，…，ＳＮは、光ノードＡ，Ｂ間の区間を通過するが、信号が終端される地点はそれぞれ異なっていてもよい。
【００３２】
波長多重通信を行う場合、シングルコアファイバＦＳのファイバ数はＮ個以下であり、波長多重通信を行わない場合、シングルコアファイバＦＳのファイバ数はＮ個であるものとする。また、マルチコアファイバＦＭのコア数は、シングルコアファイバＦＳの使用中ファイバ数Ｎに等しいか、またはＮより大きいものとする。
【００３３】
［ネットワーク制御装置］
次に、図１を参照して、本実施の形態にかかるネットワーク制御装置１０について説明する。
ネットワーク制御装置１０は、光通信ネットワーク１に設けられている各光ノード２０における光信号の入出力方路を、それぞれの光信号が経由するマルチコア通信路ＬＭおよびシングルコア通信路ＬＳでの消費電力、すなわちマルチコア系消費電力ＰＭおよびシングルコア系消費電力ＰＳの比較結果に基づいて、それぞれ切替制御する機能を有している。
【００３４】
なお、各光ノード２０における光信号に関する入出力方路については、新たな光信号の伝送を開始する場合にネットワーク制御装置１０で切替制御を実施して、消費電力の少ない入出力方路を選択してもよく、周期的に実施して消費電力の少ない入出力方路の見直しおよび切り替えを行うようにしてもよい。
【００３５】
図１に示すように、ネットワーク制御装置１０は、主な機能部として、消費電力管理部１１、消費電力比較部１２、および切替制御部１３を備えている。これら機能部は、ＣＰＵとプログラムとが協働することにより実現されている。
【００３６】
消費電力管理部１１は、２つの光ノード２０間を接続するマルチコア通信路ＬＭに設けられているマルチコア光増幅器ＡＭの消費電力に基づいてマルチコア系消費電力ＰＭを算出する機能と、２つの光ノード２０間を接続するシングルコア通信路ＬＳに設けられているシングルコア光増幅器ＡＳの消費電力とシングルコア光増幅器ＡＳの並列数Ｎとに基づいてシングルコア系消費電力ＰＳを算出する機能とを有している。
【００３７】
この際、消費電力管理部１１は、予め設定されている、各通信路に設けられているマルチコア光増幅器ＡＭやシングルコア光増幅器ＡＳに関する個々の消費電力に基づいて、マルチコア系消費電力ＰＭやシングルコア系消費電力ＰＳを静的に算出する。なお、消費電力管理部１１は、これらＡＭやＡＳに関する個々の消費電力を、光通信ネットワーク１を保守・管理する外部装置から動的に取得してもよい。さらに、消費電力管理部１１は、外部装置で算出されたマルチコア系消費電力ＰＭやシングルコア系消費電力ＰＳを動的に取得してもよい。
【００３８】
消費電力比較部１２は、複数の光ノード２０のうち、任意の２つの光ノード２０間で伝送する対象光信号を、２つの光ノード２０間を接続するマルチコア通信路ＬＭを介して伝送した際に必要となるマルチコア系消費電力ＰＭと、２つの光ノード２０間を接続するシングルコア通信路ＬＳで伝送した際に必要となるシングルコア系消費電力ＰＳとを比較する機能を有している。
【００３９】
切替制御部１３は、消費電力比較部１２での比較の結果に基づいて、２つの光ノード２０間で伝送する対象光信号の入出力方路を、マルチコア通信路ＬＭまたはシングルコア通信路ＬＳのいずれかに切替制御する機能を有している。
【００４０】
［光ノード］
次に、図２を参照して、本実施の形態にかかる光ノード２０について説明する。図２は、光ノードの構成を示すブロック図である。
図２に示すように、本実施の形態にかかる光ノード２０は、マルチコア通信路ＬＭとシングルコア通信路ＬＳとを収容可能な一般的な光ノードである。図２には、通信路を接続するポートとして、２つのマルチコア用ポートＰ１，Ｐ５と、６個のシングルコア用ポートＰ１，Ｐ２，Ｐ３，Ｐ４，Ｐ５，Ｐ６，Ｐ７，Ｐ８を備える構成例が示されている。
【００４１】
光ノード２０は、主な機能部として、クロスコネクト部２１、光ノード制御部２２、アドドロップ部２３、マルチコア光増幅器２４，２７、ファンアウト２５、シングルコア光増幅器２８，２９を備えている。これら機能部のうち、光ノード制御部２２は、ＣＰＵとプログラムとが協働することにより実現されており、他の機能部はハードウェアにより実現されている。
【００４２】
クロスコネクト部２１は、複数の入力方路から入力された光信号を光ノード制御部２２からの指示に応じて対応する出力方路へ切替制御する機能を有している。
光ノード制御部２２は、ネットワーク制御装置１０からの指示に応じて、クロスコネクト部２１における入出力方路の切り替えを制御する機能を有している。
アドドロップ部２３は、自ノードの配下の通信装置（図示せず）を収容し、この通信装置とクロスコネクト部２１との間で伝送する光信号を中継する機能を有している。
【００４３】
マルチコア光増幅器（プリアンプ）２４は、ポートＰ１に接続されているマルチコア通信路ＬＭ１の各コアから入力された複数の光信号を一括して増幅する機能を有している。
ファンアウト２５は、マルチコア光増幅器２４から出力された光信号を分離し、それぞれ個別のシングルコアファイバを介してクロスコネクト部２１へ出力する機能を有している。
【００４４】
ファンイン２６は、クロスコネクト部２１からそれぞれ個別のシングルコアファイバを介して出力されたそれぞれの光信号を結合し、マルチコアファイバの各コアを介して出力する機能を有している。
マルチコア光増幅器（ポストアンプ）２７は、ファンイン２６から出力された各コアの光信号を一括して増幅し、ポートＰ５に接続されているマルチコア通信路ＬＭ２の各コアへ出力する機能を有している。
【００４５】
シングルコア光増幅器（プリアンプ）２８は、ポートＰ２，Ｐ３，Ｐ４に接続されているシングルコア通信路ＬＳ１，ＬＳ２，ＬＳ３から入力された複数の光信号を、それぞれ個別に増幅してクロスコネクト部２１へ出力する機能を有している。
シングルコア光増幅器（ポストアンプ）２９は、クロスコネクト部２１から出力された複数の光信号をそれぞれ個別に増幅して、対応するポートＰ６，Ｐ７，Ｐ８に接続されているシングルコア通信路ＬＳ４，ＬＳ５，ＬＳ６へ出力する機能を有している。
【００４６】
図２には、入出力方路の切替例として、ＬＳ２およびＬＳ３から入力された光信号Ｓ１，Ｓ２と、アドドロップ部２３から入力された光信号Ｓ３の出力方路が、クロスコネクト部２１により、ＬＭ２またはＬＳ４に切替制御される例が示されている。
【００４７】
［第１の実施の形態の動作］
次に、図３および図４を参照して、本実施の形態にかかるネットワーク制御装置１０の動作について説明する。図３は、ネットワーク制御装置での切替制御処理を示すフローチャートである。図４は、第１の実施の形態にかかる切替制御例である。
【００４８】
図４には、光通信ネットワーク１のうち、４つの光ノードＡ，Ｂ，Ｃ，Ｄ（２０）に関する区間の構成例が示されている。このうち、光ノードＡ，Ｃ間および光ノードＣ，Ｂ間は、それぞれマルチコア通信路ＬＭ１，ＬＭ２を介して接続されており、光ノードＡ，Ｄ間および光ノードＤ，Ｂ間は、それぞれシングルコア通信路ＬＳ１，ＬＳ２を介して接続されている。また、ＬＭ１，ＬＭ２には、それぞれマルチコア光増幅器ＡＭ１，ＡＭ２が１つずつ設けられており、ＬＳ１，ＬＳ２には、それぞれシングルコア光増幅器ＡＳ１，ＡＳ２がＮ個ずつ設けられている。
【００４９】
光ノードＡ，Ｂ間で伝送する対象光信号、ここでは光信号Ｓ１，Ｓ２の入出力方路を切替制御する際、ネットワーク制御装置１０では、まず、消費電力管理部１１が、ＬＭ１およびＬＭ２で消費される消費電力を示すマルチコア系消費電力ＰＭ算出するとともに（ステップ１００）、ＬＳ１およびＬＳ２で消費される消費電力を示すシングルコア系消費電力ＰＳとを算出する（ステップ１０１）。
【００５０】
基本的には、マルチコア通信路ＬＭの消費電力は、ＬＭに設けられているマルチコア光増幅器ＡＭでの消費電力の合計値で求められる。これにより、図４の例では、ＬＭ１，ＬＭ２にはＡＭ１，ＡＭ２が１つずつ設けられているため、ＬＭ１の消費電力ＰＭ１はＡＭ１の消費電力で求められ、ＬＭ２の消費電力ＰＭ２はＡＭ２の消費電力で求められることになる。この際、各ＡＭに関する個別の消費電力ＰＡＭは、予め設定しておいたものを用いればよい。
【００５１】
一般的には、マルチコアファイバＦＭで使用するコア数すなわち光信号数によるＡＭでの消費電力の増減はわずかであるが、ＰＭ１，ＰＭ２の算出の際、予め設定されている、１光信号当たりの消費電力増加分ΔＰＡＭに基づいて、光信号数による変動を考慮してもよい。また、ＬＭを対象光信号以外の他の光信号が共用している場合、他の光信号による変動を考慮してもよい。
【００５２】
一方、シングルコア通信路ＬＳの消費電力は、ＬＳに設けられているシングルコア光増幅器ＡＳでの消費電力の合計値で求められる。これにより、図４の例では、ＬＳ１，ＬＳ２にはＡＳ１，ＡＳ２がＮ個ずつ並列的に設けられているため、ＬＳ１の消費電力ＰＳ１はＡＳ１の消費電力×Ｎで求められ、ＬＭ２の消費電力ＰＭ２はＡＭ２の消費電力で求められることになる。各ＡＳに関する個別の消費電力ＰＡＳは、予め設定しておいたものを用いればよい。
【００５３】
したがって、図４の構成例において、ＰＭは、ＬＭ１およびＬＭ２で消費される消費電力ＰＭ１およびＰＭ２の合計値に相当し、ＰＭ＝ＰＭ１＋ＰＭ２で求められる。
一方、ＰＳは、ＬＳ１およびＬＳ２で消費される消費電力ＰＳ１およびＰＳ２の合計値に相当し、ＰＳ＝ＰＳ１＋ＰＳ２で求められる。
【００５４】
次に、消費電力比較部１２は、このようにして消費電力管理部１１で得られたマルチコア系消費電力ＰＭとシングルコア系消費電力ＰＳとを比較する（ステップ１０２）。
切替制御部１３は、消費電力比較部１２での比較の結果に基づいて、２つの光ノード２０間で伝送する対象光信号の入出力方路を、マルチコア通信路ＬＭまたはシングルコア通信路ＬＳのいずれかに切替制御する。
【００５５】
比較の結果（ステップ１０３）、マルチコア系消費電力ＰＭがシングルコア系消費電力ＰＳより小さく、ＰＭ＜ＰＳである場合（ステップ１０３：ＹＥＳ）、切替制御部１３は、光ノードＡ，Ｂ、さらには光ノードＣに対して、Ｓ１，Ｓ２の入出力方路をマルチコア通話路側に切替制御する指示を出力し（ステップ１０４）、一連の切替制御処理を終了する。
これにより、光ノードＡ，Ｂ，ＣにおいてＳ１，Ｓ２の入出力方路が、マルチコア通話路側にそれぞれ切り替えられて、Ｓ１，Ｓ２は、マルチコア通信路ＬＭ１，ＬＭ２からなるマルチコア系経路を経由して伝送されることになる。
【００５６】
一方、マルチコア系消費電力ＰＭがシングルコア系消費電力ＰＳより小さくなく、ＰＭ≧ＰＳである場合（ステップ１０３：ＮＯ）、切替制御部１３は、光ノードＡ，Ｂ、さらには光ノードＤに対して、Ｓ１，Ｓ２の入出力方路をシングルコア通話路側に切替制御する指示を出力し（ステップ１０５）、一連の切替制御処理を終了する。
これにより、光ノードＡ，Ｂ，ＤにおいてＳ１，Ｓ２の入出力方路が、シングルコア通話路側にそれぞれ切り替えられて、Ｓ１，Ｓ２は、シングルコア通信路ＬＳ１，ＬＳ２からなるシングルコア系経路を経由して伝送されることになる。
【００５７】
図４の構成例では、切替制御以前において、光信号Ｓ１，Ｓ２は、光ノードＡ，Ｂ間を、シングルコア通信路ＬＳ１，ＬＳ２からなるシングルコア系経路を経由して伝送されている。このため、ＰＭ＜ＰＳの場合、Ｓ１，Ｓ２の入出力方路が切り替えられて、Ｓ１，Ｓ２は、マルチコア通信路ＬＭ１，ＬＭ２からなるマルチコア系経路を経由して伝送される。
また、ＰＭ≧ＰＳの場合、Ｓ１，Ｓ２の入出力方路が切り替えられず、現状のＬＳ１，ＬＳ２からなるシングルコア系経路を経由して伝送される。
【００５８】
また、図２に示したように、光ノードＡ，Ｂ内に設けられているマルチコア光増幅器２４，２７を対象光信号Ｓ１，Ｓ２が経由する場合、これら対応するマルチコア光増幅器２４，２７で消費される消費電力をＰＭに含めるようにしてもよい。同様に、光ノードＡ，Ｂ内に設けられているシングルコア光増幅器２８，２９を対象光信号Ｓ１，Ｓ２が経由する場合、これら対応するシングルコア光増幅器２８，２９で消費される消費電力をＰＳに含めるようにしてもよい。
【００５９】
［第１の実施の形態の効果］
このように、本実施の形態は、ネットワーク制御装置１０において、消費電力比較部１２が、複数の光ノード２０のうち、任意の２つの光ノードＡ，Ｂ間で伝送する対象光信号Ｓ１，Ｓ２を、２つの光ノードＡ，Ｂ間を接続するマルチコア通信路ＬＭ１，ＬＭ２を介して伝送した際に必要となるマルチコア系消費電力ＰＭと、２つの光ノードＡ，Ｂ間を接続するシングルコア通信路ＬＳ１，ＬＳ２で伝送した際に必要となるシングルコア系消費電力ＰＳとを比較し、切替制御部１３が、消費電力比較部１２で得られた比較の結果に基づいて、２つの光ノードＡ，Ｂにおける対象光信号Ｓ１，Ｓ２の入出力方路をマルチコア通信路ＬＭまたはシングルコア通信路ＬＳのいずれかに切替制御するようにしたものである。
【００６０】
これにより、光ノードＡ，Ｂ間の対象光信号Ｓ１，Ｓ２に関するマルチコア系消費電力ＰＭが、シングルコア系消費電力ＰＳより小さい場合、Ｓ１，Ｓ２の入出力方路が、ＬＳからＬＭに切り替えられることになる。これにより、前述した図９の例では、トラヒック量に応じた信号数Ｎが５以下の場合にはＰＳ＜ＰＭとなるため、対象光信号の入出力方路がＬＳ側に切替制御される。また、信号数Ｎが５より大きい場合にはＰＳ＜ＰＭとなるため、対象光信号の入出力方路がＭＳ側に切替制御される。
【００６１】
したがって、トラヒック量によらず単にシングルコア通信路を経由する対象光信号をマルチコア通信路経由に切り替えた場合には消費電力が増大するケースも考えられるが、本実施の形態によれば、光ノードＡ，Ｂ間で伝送されるＳ１，Ｓ２が、マルチコア通信路ＬＭとシングルコア通信路ＬＳのうち、消費電力の少ない通信路を経由して伝送されることになる。このため、光通信ネットワーク１全体の低消費電力化を実現することができ、結果として、マルチコア通信路ＬＭをより効果的に利用することが可能なる。
【００６２】
また、本実施の形態において、ネットワーク制御装置１０に消費電力管理部１１を設けて、マルチコア通信路ＬＭに設けられているマルチコア光増幅器ＡＭで消費される消費電力に基づいてマルチコア系消費電力ＰＭを算出するとともに、シングルコア通信路ＬＳに設けられているシングルコア光増幅器ＡＳで消費される消費電力に基づいてシングルコア系消費電力ＰＳを算出するようにしてもよい。これにより、外部装置などの設備の追加を必要とすることなく、対象光信号Ｓ１，Ｓ２の入出力方路の切替制御に必要となるＰＭおよびＰＳをネットワーク制御装置１０で算出することができる。
【００６３】
また、本実施の形態において、消費電力管理部１１が、自ノード２０内に設けられて対象光信号Ｓ１，Ｓ２を増幅するマルチコア光増幅器ＡＭで消費される消費電力を、マルチコア系消費電力ＰＭに加算し、自ノード２０内に設けられて対象光信号を増幅するシングルコア光増幅器で消費される消費電力を、シングルコア系消費電力ＰＳに加算するようにしてもよい。これにより、さらに正確なＰＭおよびＰＳを算出することができる。
【００６４】
また、本実施の形態において、消費電力管理部１１が、マルチコア系消費電力ＰＭを算出する際、２つの光ノードＡ，Ｂ間が１つまたは複数の中継光ノードＣ，Ｄを介して複数のマルチコア通信路ＬＭ１，ＬＭ２で接続されている場合、これらマルチコア通信路ＬＭ１，ＬＭ２ごとに算出した消費電力を合計することによりＰＭを算出するようにしてもよい。また、シングルコア系消費電力ＰＳを算出する際、２つの光ノードＡ，Ｂ間が１つまたは複数の中継光ノードＣ，Ｄを介して複数のシングルコア通信路ＬＳ１，ＬＳ２で接続されている場合、これらシングルコア通信路ＬＳ１，ＬＳ２ごとに算出した消費電力を合計することによりＰＳを算出するようにしてもよい。これにより、２つの光ノードＡ，Ｂ間に中継光ノードＣ，Ｄが存在するような区間を伝送する対象光信号Ｓ１，Ｓ２についても、その入出力方路を正しく切替制御することができる。
【００６５】
また、本実施の形態において、消費電力管理部１１が、シングルコア系消費電力ＰＳを算出する際、１つのシングルコア光増幅器ＡＳに関する消費電力と、シングルコア通信路ＬＳに設けられているシングルコア光増幅器ＡＳの並列数またはシングルコア通信路ＬＳを介して伝送する対象光信号の光信号数とを乗算することによりＰＳを算出するようにしてもよい。これにより、より正確なＰＳを算出することができる。
【００６６】
［第２の実施の形態］
次に、図５を参照して、本発明の第２の実施の形態にかかる光通信ネットワーク１について説明する。図５は、第２の実施の形態にかかる切替制御例である。
本実施の形態では、対象光信号が経由するシングルコア通信路ＬＳに、対象光信号以外の光信号が混在している場合に、シングルコア通信路ＬＳに収容されている全ての光信号を切り替えるのではなく、対象光信号を選択して切り替える場合について説明する。
【００６７】
本実施の形態において、消費電力管理部１１は、１つのシングルコア光増幅器ＡＳに関する消費電力と、シングルコア通信路ＬＳに設けられているシングルコア光増幅器ＡＳの並列数とを乗算することにより、シングルコア系消費電力ＰＳを算出する機能と、シングルコア通信路ＬＳのうち、対象光信号以外の光信号に関する消費電力をシングルコア系消費電力ＰＳから減算する機能とを有している。
【００６８】
図５には、光通信ネットワーク１のうち、４つの光ノードＡ，Ｂ，Ｃ，Ｄ（２０）に関する区間の構成例が示されている。図４との相違点は、光ノードＤ，Ｃ間において、対象光信号Ｓ１，Ｓ２以外の光信号Ｓ３がシングルコア通信路ＬＳ２を介して伝送されている点にある。
【００６９】
この場合、Ｓ３に関する消費電力ＰＳ３はＳ１，Ｓ２の切替制御に関係ないため、ＰＳ３をＰＳから除外することになる。
したがって、図５の構成例において、ＰＭは、ＬＭ１およびＬＭ２で消費される消費電力ＰＭ１およびＰＭ２の合計値に相当し、ＰＭ＝ＰＭ１＋ＰＭ２で求められる。
一方、ＰＳは、ＬＳ１およびＬＳ２で消費される消費電力ＰＳ１およびＰＳ２の合計値からＰＳ３を減算したものに相当し、ＰＳ＝ＰＳ１＋ＰＳ２−ＰＳ３で求められる。
【００７０】
なお、この際、ＬＳを構成する各シングルコアファイバＦＳのうち、未使用のものがあればその分のＡＳに関する消費電力を除外してもよい。したがって、ＬＳを経由して伝送する対象光信号の光信号数をＮ’とし、ＰＳ１をＰＳ１＝ＰＡＳ×Ｎ’で求めてもよい。これにより、前述したＰＳ３もＰＳ２から除外することができる。
【００７１】
［第２の実施の形態の効果］
このように、本実施の形態は、消費電力管理部１１が、１つのシングルコア光増幅器ＡＳに関する消費電力と、シングルコア通信路ＬＳに設けられているシングルコア光増幅器ＡＳの並列数とを乗算することにより、シングルコア系消費電力ＰＳを算出し、シングルコア通信路ＬＳのうち、対象光信号以外の光信号に関する消費電力をシングルコア系消費電力ＰＳから減算するようにしたものである。
【００７２】
これにより、ＡＳの並列数に基づきＰＳを算出する場合でも、対象光信号に対応したＰＳが正確に算出されることになる。したがって、対象光信号が経由するシングルコア通信路ＬＳに、対象光信号以外の光信号が混在している場合でも、シングルコア通信路ＬＳに収容されている全ての光信号を切り替えるのではなく、対象光信号だけを選択して効率よく切替制御することができる。
【００７３】
［第３の実施の形態］
次に、図６を参照して、本発明の第３の実施の形態にかかる光通信ネットワーク１について説明する。図６は、第３の実施の形態にかかる切替制御例である。
本実施の形態では、対象光信号が経由するマルチコア通信路ＬＭに、対象光信号以外の光信号をすでに伝送している共用マルチコア通信路ＬＭＣが含まれている場合について説明する。
【００７４】
本実施の形態において、消費電力管理部１１は、マルチコア系消費電力を算出する際、マルチコア通信路のうち、対象光信号以外の光信号をすでに伝送している共用マルチコア通信路ＬＭＣに関する消費電力を、ゼロと見なす機能を有している。
【００７５】
図６には、光通信ネットワーク１の一例として、４つの光ノードＡ，Ｂ，Ｃ，Ｄ（２０）に関する区間の構成例が示されている。このうち、光ノードＡ，Ｂ間は１つのマルチコア光増幅器ＡＭ１が設けられたマルチコア通信路ＬＭ１を介して接続されており、光ノードＣ，Ｄ間はＮ個のシングルコア光増幅器ＡＳ１がコアごとに設けられたシングルコア通信路ＬＳ１を介して接続されている。また、光ノードＡ，Ｃ間および光ノードＢ，Ｄ間は、増幅器のないシングルコアファイバからなるシングルコア通信路ＬＳ２，ＬＳ３を介してそれぞれ接続されている。
【００７６】
光ノードＣ，Ｄ間で伝送する対象光信号、ここでは光信号Ｓ３，Ｓ４の入出力方路を切替制御する際、ＬＳ２，ＬＭ１，ＬＳ３からなるマルチコア系経路を介してＳ３，Ｓ４を伝送する場合と、ＬＳ１からなるシングルコア系経路を介してＳ３，Ｓ４を伝送する場合が考えられる。
【００７７】
このうち、マルチコア系経路については、ＬＭ１が、光ノードＡ，Ｂ間で光信号Ｓ１，Ｓ２を伝送するのに用いられており、対象光信号Ｓ３，Ｓ４以外のＳ１，Ｓ２をすでに伝送している共用マルチコア通信路ＬＭＣに相当している。このため、Ｓ３，Ｓ４をＬＭ１で伝送しても、新たに消費電力は発生せず、Ｓ３，Ｓ４の伝送に要する消費電力をゼロと見なすことができる。
【００７８】
また、マルチコア系経路のうち、ＬＳ２およびＬＳ３に増幅器が設けられていないため、ＬＳ２およびＬＳ３で消費電力が発生しない。したがって、マルチコア系経路に関するマルチコア系消費電力ＰＭはゼロとなる。
一方、シングルコア系経路については、ＬＳ１すなわちＡＳ１での消費電力ＰＳ１が、シングルコア系消費電力ＰＳとなる。
【００７９】
これにより、ネットワーク制御装置１０の消費電力管理部１１は、マルチコア系消費電力ＰＭとしてＰＭ＝０を算出し、シングルコア系消費電力ＰＳとして、ＰＳ＝ＰＳ１を算出することになる。
したがって、図６の構成例によれば、消費電力比較部１２での比較の結果、ＰＭ＜ＰＳとなるため、切替制御部１３により、Ｓ３，Ｓ４の入出力方路を、ＬＳ１側からＬＳ２，ＬＭ１，ＬＭ３側に切替制御されることになる。
【００８０】
［第３の実施の形態の効果］
このように、本実施の形態は、消費電力管理部１１が、マルチコア系消費電力ＰＭを算出する際、マルチコア通信路ＬＭのうち、対象光信号Ｓ３，Ｓ４以外の光信号Ｓ１，Ｓ２をすでに伝送している共用マルチコア通信路ＬＭＣに関する消費電力を、ゼロと見なすようにしたものである。
これにより、対象光信号Ｓ３，Ｓ４の入出力方路を切替制御して、終端点が異なる既存の光信号Ｓ１，Ｓ２をすでに伝送しているＬＭＣに迂回させ、ＬＭＣに設けられたマルチコア光増幅器ＡＭで一括して増幅することができる。
【００８１】
［第４の実施の形態］
次に、図７を参照して、本発明の第４の実施の形態にかかる光通信ネットワーク１について説明する。図７は、第４の実施の形態にかかる切替制御例である。
本実施の形態では、異なるノード間で伝送している複数の対象光信号を、同時に切替制御する場合について説明する。
【００８２】
すなわち、本実施の形態において、消費電力管理部１１は、光ノードのうち、第１の２つの光ノード間で伝送する第１の対象光信号と、これら光ノードとは異なる第２の２つの光ノード間で伝送する第２の対象光信号とが、同一マルチコア通信路を経由する場合、第１の対象光信号に関する第１のマルチコア系消費電力と第２の対象光信号に関する第２のマルチコア系消費電力との合計から同一マルチコア通信路のマルチコア系消費電力を減算することにより、統一マルチコア系消費電力を算出する機能と、第１の対象光信号に関する第１のシングルコア系消費電力と第２の対象光信号に関する第２のシングルコア系消費電力とを合算することにより統一シングルコア系消費電力を算出する機能とを有している。
【００８３】
また、消費電力比較部１２は、消費電力管理部１１で得られた統一マルチコア系消費電力と統一シングルコア系消費電力とを比較する機能を有している。
また、切替制御部１３は、比較の結果に基づいて、第１の２つの光ノードにおける第１の対象光信号の入出力方路を、第１の対象光信号と対応するマルチコア通信路またはシングルコア通信路のいずれかに切替制御する機能と、第２の２つの光ノードにおける第２の対象光信号の入出力方路を、第２の対象光信号と対応するマルチコア通信路またはシングルコア通信路のいずれかに切替制御する機能とを有している。
【００８４】
図７には、光通信ネットワーク１の一例として、６つの光ノードＡ，Ｂ，Ｃ，Ｄ，Ｅ，Ｆ（２０）に関する区間の構成例が示されている。このうち、光ノードＡ，Ｂ間はＮ個のシングルコア光増幅器ＡＳ１がコアごとに設けられたシングルコア通信路ＬＳ１を介して接続されており、光ノードＣ，Ｄ間はＮ個のシングルコア光増幅器ＡＳ２がコアごとに設けられたシングルコア通信路ＬＳ２を介して接続されている。
【００８５】
一方、光ノードＥ，Ｆ間は、１つのマルチコア光増幅器ＡＭ１が設けられたマルチコア通信路ＬＭ１を介して接続されている。また、光ノードＡ，Ｅ間、光ノードＢ，Ｆ間、光ノードＣ，Ｅ間、光ノードＤ，Ｆ間は、増幅器のないシングルコアファイバからなるシングルコア通信路ＬＳ３，ＬＳ４，ＬＳ５，ＬＳ６を介してそれぞれ接続されている。
【００８６】
光ノードＡ，Ｂ（第１の２つの光ノード）間で伝送する対象光信号、ここでは光信号Ｓ１，Ｓ２（第１の対象光信号）と、光ノードＣ，Ｄ（第２の２つの光ノード）間で伝送する対象光信号、ここでは光信号Ｓ３，Ｓ４（第２の対象光信号）との入出力方路を切替制御する際、Ｓ１，Ｓ２とＳ３，Ｓ４に関するマルチコア系消費電力ＰＭとシングルコア系消費電力ＰＳを、それぞれ統一して算出すればよい。
【００８７】
この際、Ｓ１，Ｓ２とＳ３，Ｓ４のマルチコア系経路として、ＬＭ１を同一マルチコア通信路ＬＭＳとして共用することができる。また、ＬＳ３，ＬＳ４，ＬＳ５，ＬＳ６に増幅器が設けられていないため、これら通信路では消費電力が発生しない。このため、マルチコア系経路については、Ｓ１，Ｓ２に関するＬＭ１すなわちＡＭ１での消費電力ＰＭ１と、Ｓ３，Ｓ４に関するＬＭ１すなわちＡＭ１での消費電力ＰＭ１とから、同一マルチコア通信路ＬＭＳ（ＬＭ１）のＰＭ１を減算したものが、統一マルチコア系消費電力ＰＭとなる。
一方、シングルコア系経路については、ＬＳ１すなわちＡＳ１での消費電力ＰＳ１と、ＬＳ２すなわちＡＳ２での消費電力ＰＳ２との合計が、統一シングルコア系消費電力ＰＳとなる。
【００８８】
これにより、ネットワーク制御装置１０の消費電力管理部１１は、統一マルチコア系消費電力ＰＭとしてＰＭ＝ＰＭ１＋ＰＭ１−ＰＭ１＝ＰＭ１を算出し、シングルコア系消費電力ＰＳとして、ＰＳ＝ＰＳ１＋ＰＳ２を算出することになる。
したがって、図７の構成例によれば、Ｓ１，Ｓ２とＳ３，Ｓ４とで、別個のマルチコア系経路を用いる場合と比較して、マルチコア系消費電力ＰＭが削減されることになる。
【００８９】
［第４の実施の形態の効果］
このように、本実施の形態は、消費電力管理部１１が、光ノード２０のうち、２つの光ノードＡ，Ｂ間で伝送する対象光信号Ｓ１，Ｓ２と、これら光ノードＡ，Ｂとは異なる２つの光ノードＣ，Ｄ間で伝送する対象光信号Ｓ３，Ｓ４とが、同一マルチコア通信路ＬＭＳを経由する場合、対象光信号Ｓ１，Ｓ２に関するマルチコア系消費電力ＰＭ１と対象光信号Ｓ３，Ｓ４に関するマルチコア系消費電力ＰＭ１との合計から同一マルチコア通信路ＬＭＳのマルチコア系消費電力ＰＭ１を減算することにより、統一マルチコア系消費電力ＰＭを算出するとともに、対象光信号Ｓ１，Ｓ２に関するシングルコア系消費電力ＰＳ１と対象光信号Ｓ３，Ｓ４に関するシングルコア系消費電力ＰＳ２とを合算することにより統一シングルコア系消費電力ＰＳを算出するようにしたものである。
【００９０】
これに加えて、消費電力比較部１２が、消費電力管理部１１で得られた統一マルチコア系消費電力ＰＭと統一シングルコア系消費電力ＰＳとを比較し、切替制御部１３が、消費電力比較部１２で得られた比較の結果に基づいて、光ノードＡ，Ｂにおける対象光信号Ｓ１，Ｓ２の入出力方路を、対象光信号Ｓ１，Ｓ２と対応するマルチコア通信路ＬＭ１またはシングルコア通信路ＬＳ１のいずれかに切替制御するとともに、光ノードＣ，Ｄにおける対象光信号Ｓ３，Ｓ４の入出力方路を、対象光信号Ｓ３，Ｓ４と対応するマルチコア通信路ＬＭ１またはシングルコア通信路ＬＳ２のいずれかに切替制御するようにしたものである。
【００９１】
これにより、例えば終端点が異なる複数の対象光信号Ｓ１，Ｓ２と対象光信号Ｓ３，Ｓ４とを、同時に切替制御する際、これらＳ１，Ｓ２とＳ３，Ｓ４とが同一マルチコア通信路ＬＭＳを経由する場合には、Ｓ１，Ｓ２のマルチコア系消費電力ＰＭ１とＳ３，Ｓ４のマルチコア系消費電力ＰＭ１との合計から同一マルチコア通信路ＬＭＳのマルチコア系消費電力ＰＭ１が減算されたものが統一マルチコア系消費電力ＰＭとして算出されることになる。
【００９２】
これにより、終端点が異なる複数の対象光信号Ｓ１，Ｓ２と対象光信号Ｓ３，Ｓ４とを、シングルコア通信路ＬＳ３−ＬＳ６を介してマルチコア通信路ＬＭ１に迂回させ、ＬＭ１に設けられたマルチコア光増幅器ＡＭ１で一括して増幅するマルチコア系経路に、切替制御することができる。
【００９３】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
例えば、消費電力管理部１１で算出されたマルチコア系消費電力ＰＭやシングルコア系消費電力ＰＳ、さらには消費電力比較部１２で得られた比較結果については、実際の対象光信号の入出力方路に関する切替制御だけでなく、新設するマルチコア通信路ＬＭに関する低消費電力化の検証にも利用することができる。
【符号の説明】
【００９４】
１…光通信ネットワーク、１０…ネットワーク制御装置、１１…消費電力管理部、１２…消費電力比較部、１３…切替制御部、２０…光ノード、２１…クロスコネクト部、２２…光ノード制御部、２３…アドドロップ部、２４，２７…マルチコア光増幅器、２５…ファンアウト、２６…ファンイン、２８，２９…シングルコア光増幅器、ＬＭ…マルチコア通信路、ＬＳ…シングルコア通信路、ＡＭ…マルチコア光増幅器、ＡＳ…シングルコア光増幅器、ＰＭ…マルチコア系消費電力、ＰＳ…シングルコア系消費電力、Ｓ…光信号。
【図１】
2019047451.tif 000003
【図２】
2019047451.tif 000004
【図３】
2019047451.tif 000005
【図４】
2019047451.tif 000006
【図５】
2019047451.tif 000007
【図６】
2019047451.tif 000008
【図７】
2019047451.tif 000009
【図８】
2019047451.tif 000010
【図９】
2019047451.tif 000011